(57)【特許請求の範囲】
【請求項１】
上面に吹き出し口が形成され、側面に吸い込み口が形成される筒状のケースと、
前記ケース内の前記吹き出し口の下方に配置されて、前記吹き出し口に風を送るためのファンと、
前記ケース内の前記ファンの下方に配置され、前記ファンの風向き方向の複数の開口が形成される光触媒フィルターと、
前記ファンの下方に配置され、前記光触媒フィルターに光を照射するためのライトと、
充電池と、を備え、
前記ケースの前面と後面は円筒形状に形成され、右側面と左側面は平面形状に構成され、
前記ケースの下端に２つの充電端子が設けられ、
前記充電端子と前記充電池の間に複数のダイオードを利用したブリッジ回路を設けることによって、前記２つの充電端子のどちらに充電装置のプラス端子とマイナス端子が接続されても前記充電池に充電できるように構成され、
前記ケースの、前記光触媒フィルターの側方部分には、開口部が形成され、
前記開口部を閉じるための、着脱自在なカバーと、
前記光触媒フィルターの側方を保持するホルダと、をさらに備え、
前記カバーを取り外した状態で、前記光触媒フィルターを、前記ホルダごと、前記開口部を通って前記ケースの外側にスライドさせることによって前記ケースから取り出すことができる、除菌装置。
【請求項２】
前記ファンの周囲に配置され、前記ケースに対して前記ファンを支持しつつ、前記ファンと前記ケースとの間を閉じるための弾性部材をさらに備える、請求項１に記載の除菌装置。
【請求項３】
前記ケースの背面に取り付けられ、前記除菌装置を保持するためのクリップをさらに備え、
前記クリップは、その端部が前記カバーに着脱自在に取り付けられる、請求項１または２に記載の除菌装置。
【請求項４】
請求項１から３のいずれか１項に記載の除菌装置と、
前記除菌装置の下部が差し込まれて、前記除菌装置を斜め方向に起立した状態で保持するための凹部と、前記凹部の底面に設けられる前記プラス端子と前記マイナス端子と、を含む充電装置と、を備える除菌システム。
【請求項５】
請求項１から３のいずれか１項に記載の除菌装置と、
前記除菌装置の上部に着脱自在な首掛けフレームと、を備える除菌システム。
【請求項６】
前記ケースの両側面の各々には、上部に、前記首掛けフレームの下端部が連結される孔が形成され、
前記孔の側面には、前記孔の内側方向に向けて付勢される部材が設けられ、
前記首掛けフレームの下端部には、前記孔に挿入される突起が形成され、
前記突起の側面には、前記部材に対向する位置に凹部が形成される、請求項５に記載の除菌システム。
【発明の詳細な説明】
【技術分野】
【０００１】
本発明は、光触媒を利用して空気の除菌や脱臭などを行うための除菌装置の技術に関する。
【背景技術】
【０００２】
従前より、空気の脱臭や除菌を行うための光触媒装置が知られている。たとえば、特開２０１９−５０９４号公報（特許文献１）によると、小型空気清浄装置は、吸気口および排気口を備える筒状のケーシングと、ケーシング内に収容された空気清浄ユニットと、を備える。空気清浄ユニットは、吸気口からケーシング内に空気を導入するための吸気ファンと、吸気ファンと排気口との間に配置された清浄部と、清浄部に光照射するための少なくとも１つの発光部と、を備え、吸気ファン、清浄部、および発光部は、ケーシングの軸方向に沿って設けられている。清浄部は、空気が通過する板状のフィルターと、フィルターの周縁部に配置され、かつ空気の通過を遮蔽するマスキング部と、を備え、ケーシング内の空間をケーシングの軸方向に垂直な方向に沿って分割するように配置される。フィルターは、多孔質板と、多孔質板に担持された光触媒と、を備え、発光部からの光照射により、フィルターを通過する空気を浄化する。
【先行技術文献】
【特許文献】
【０００３】
【特許文献１】特開２０１９−５０９４号公報
【発明の概要】
【発明が解決しようとする課題】
【０００４】
本発明の目的は、筒状のケースの先端から除菌済みの空気を吹き出すことができる除菌装置を提供することにある。
【課題を解決するための手段】
【０００５】
本発明の一態様に従うと、上面に吹き出し口が形成され、側面に吸い込み口が形成される筒状のケースと、ケース内の吹き出し口の下方に配置されて、吹き出し口に風を送るためのファンと、ケース内のファンの下方に配置されるフィルターと、を備える、除菌装置が提供される。
【発明の効果】
【０００６】
以上のように、本発明によれば、筒状のケースの先端から除菌済みの空気を吹き出すことができる除菌装置が提供される。その結果、首からぶら下げた際に、ユーザの顔面近傍に除菌された空気を供給することができるようになる。
【図面の簡単な説明】
【０００７】
【図１】第１の実施の形態にかかる除菌装置の正面斜視図である。
【図２】第１の実施の形態にかかる除菌装置の背面斜視図である。
【図３】第１の実施の形態にかかる除菌装置の平面図である。
【図４】図３におけるＡ−Ａ正面断面図である。
【図５】図３におけるＢ−Ｂ左側面図である。
【図６】第１の実施の形態にかかる除菌システムの正面斜視図である。
【図７】第１の実施の形態にかかる除菌システムの正面である。
【図８】第１の実施の形態にかかる除菌装置の組み立て分解図である。
【図９】第１の実施の形態にかかるカバーの正面斜視図である。
【図１０】第１の実施の形態にかかる除菌システムの組み立て分解図である。
【図１１】第１の実施の形態にかかる首掛けフレームの下端部の拡大図である。
【図１２】第１の実施の形態にかかる正面断面図である。
【図１３】図９におけるＣ−Ｃ平面断面図である。
【図１４】第１の実施の形態にかかる除菌システムの正面斜視図である。
【図１５】第１の実施の形態にかかる除菌システムの図である。
【図１６】第１の実施の形態にかかる充電装置の上方斜視図である。
【図１７】図１５におけるＤ−Ｄ右側面断面図である。
【図１８】第１の実施の形態にかかる充電端子がある位置における充電装置の右側面断面図である。
【図１９】第１の実施の形態にかかる除菌装置を反対向けに充電装置に取り付けた状態を示す除菌システムの正面斜視図である。
【図２０】第１の実施の形態にかかる充電用のブリッジ回路を示す図である。
【発明を実施するための形態】
【０００８】
以下、図面を参照しつつ、本発明の実施の形態について説明する。以下の説明では、同一の部品には同一の符号を付してある。それらの名称および機能も同じである。したがって、それらについての詳細な説明は繰り返さない。また以下では、説明のために、図１に示すように除菌装置１００が、その吹き出し口が上方に向けられ、かつ、クリップが後方に向けられた状態における方向、すなわち前方・後方・左方・右方・上方・下方など、を用いて説明を行う。
［第１の実施の形態］
＜除菌装置１００の本体の構成＞
【０００９】
まず、本実施の形態にかかる除菌装置１００の本体の構成について説明する。図１から図５を参照して、本実施の形態にかかる除菌装置１００は、主な構成部品として、光触媒ユニット１２０と、ＬＥＤライト１３０と、吹き出しファン１４０と、それらを収納するケース１１０とを含む。
【００１０】
本実施の形態においては、図６および図７に示すように、ケース１１０の上部には、首掛けフレーム１６０が取り付けられる。ユーザは、首掛けフレーム１６０を首にかけることによって、除菌装置１００を顔の直下に保持することができる。除菌装置１００は、この状態で、その上部から除菌した空気を上方、すなわちユーザの顔付近に吹き出すものである。なお、除菌装置１００の本体と首掛けフレーム１６０や充電装置１８０などを合わせて、除菌システム１０ともいう。
【００１１】
また、本実施の形態においては、除菌装置１００の背面には、クリップ１１４が取り付けられる。ユーザは、クリップ１１４と除菌装置１００のケース１１０の背面との間に、シャツなどの衣類やカバンやベルトなどを挟み込むことによって、除菌装置１００を顔の直下に保持することができる。除菌装置１００は、この状態で、その上部の吹き出し口１１２から除菌した空気を上方に向けて吹き出すものである。
【００１２】
図１から図５に戻って、本実施の形態にかかるケース１１０には、吸い込み口１１１，１１１が形成される。より詳細には、左右両側面１１１１，１１１１に全体的にパンチング穴が多数形成されて、左右両側面１１１１，１１１１の中上部に、ケース１１０の内部空間につながる吸い込み口１１１，１１１が形成される。なお、ケース１１０の内部の、下部には充電池１５０が配置され、ケース１１０の内部の上部には、吹き出しファン１４０や、光触媒ユニット１２０が配置されるため、吸い込み口１１１，１１１は、充電池１５０や、光触媒ユニット１２０などを避けた位置に形成される。
【００１３】
ケース１１０の内部には、下方から、充電池１５０、光触媒ユニット１２０、ＬＥＤライト１３０、吹き出しファン１４０が配置される。本実施の形態においては、側面視において、充電池１５０と光触媒ユニット１２０との間に、吸い込み口１１１，１１１が形成される。
【００１４】
充電池１５０の背面側には、制御基板１５１が配置される。制御基板１５１の近傍には、ＯＮ／ＯＦＦ用のスイッチ１１８が設けられる。スイッチ１１８は、ケース１１０の背面から外部に突出している。なお、制御基板１５１には、後述する充電用のブリッジ回路１５２も設けられる。
【００１５】
ケース１１０の底面は、曲面状に形成されている。ケース１１０の底面には、充電端子１１５，１１５や、ＵＳＢ端子１１６が設けられる。これらの電源用の端子は、制御基板１５１に接続される。
【００１６】
本実施の形態においては、光触媒ユニット１２０は、光触媒フィルター１２１と、光触媒フィルター１２１を内側に保持するホルダ１２２とから構成される。光触媒フィルター１２１は、ケース１１０の上下方向に向けて、多数の開口が形成される。たとえば、光触媒フィルター１２１は、格子状に構成される。
【００１７】
ここで、本実施の形態にかかる光触媒は、表面に吸着した空気中の酸素と水分とを光反応によって分解し、反応性の高いスーパーオキサイドアニオン（Ｏ２−）とＯＨラジカル（・ＯＨ）とを生成する。そして、スーパーオキサイドアニオン（Ｏ２−）とＯＨラジカル（・ＯＨ）とは、臭気成分を分解したり、雑菌を除去したり、エチレンガスを分解して食品などの鮮度低下を抑制したりすることができる。なお、光触媒としては、例として、酸化亜鉛（ＺｎＯ）、硫化カドミウム（ＣｄＳ）、三酸化タングステン（ＷＯ３）、二酸化チタン（ＴｉＯ２）等があげられるが、これらに限定されるものではない。
【００１８】
そして、図８に示すように、光触媒ユニット１２０は、ケース１１０から着脱自在に構成されている。より詳細には、ケース１１０の背面の一部、すなわち光触媒ユニット１２０の後方の部分には、開口部１１０Ｙが形成される。当該開口部１１０Ｙは、ケース１１０に着脱自在なカバー１１３によってカバーされる。カバー１１３は、ネジ１１９などによって、ケース１１０の背面に取り付けられる。ネジ１１９は、カバー１１３のネジ孔１１３Ｘを通って、ケース１１０のネジ穴１１０Ｘに螺号される。
【００１９】
このように構成されているので、ユーザは、ネジ１１９を外すことによって、カバー１１３をケース１１０から取り外すことができる。そして、ユーザは、定期的に、開口部１１０Ｙを通って、光触媒ユニット１２０を外部に取り出すことができる。ユーザは、光触媒フィルター１２１を、ホルダ１２２につけたまま、つまり光触媒フィルター１２１に直接的に手を触れずに、水などによって簡単に光触媒フィルター１２１を洗浄することができる。
【００２０】
特に、本実施の形態においては、上述したクリップ１１４の上端部が、カバー１１３に取り付けられる。より詳細には、図９に示すように、カバー１１３の上部には、その前面側、すなわち除菌装置１００の内部側に、２つの孔１１３Ｘ，１１３Ｘが形成される。これによって、クリップ１１４の上端部の下方に折り曲げられた部分１１４Ｘを、２つの孔１１３Ｘ，１１３Ｘに挿入することによって、カバー１１３に固定する。このように、本実施の形態の除菌装置１００においては、クリップ１１４がカバー１１３に着脱自在の構成されているため、ユーザの好みによって、カバー１１３を外した際などに、クリップ１１４を除菌装置１００に取り付けたり外したりすることができる。
【００２１】
図１から図５に戻って、光触媒ユニット１２０の上方には、光触媒フィルター１２１に向けて光を照射するためのＬＥＤライト１３０が取り付けられる。ＬＥＤライト１３０には、制御基板１５１からの電力が供給される。
【００２２】
ＬＥＤライト１３０の上方には、吹き出しファン１４０が取り付けらえる。本実施の形態においては、軸流ファンが利用される。吹き出しファン１４０には、制御基板１５１からの電力が供給される。本実施の形態においては、吹き出しファン１４０は、上方の吹き出し口１１２に向けて風を送り出すように構成されている。つまり、光触媒ユニット１２０やＬＥＤライト１３０が配置されるエリアが負圧になり、吹き出しファン１４０の近傍に吹き出し口１１２があるため、吸い込み口１１１で吸い込まれた空気をスムーズに流すことができる。
【００２３】
特に、本実施の形態においては、吹き出しファン１４０は、その外周とケース１１０の内面との間にゴムなどの弾性部材１４１を挟むことによって、ケース１１０に保持される。これによって、吹き出しファンの振動がケース１１０に伝わりにくく構成されている。また、弾性部材１４１は、吹き出しファン１４０のユニットの側面に一周分設けられており、吹き出しファン１４０のユニットの側面とケース１１０との間に隙間が生じないように構成されており、吹き出しファン１４０のユニットとケース１１０の内面との隙間から空気が逃げないように構成されている。
＜首掛けフレーム１６０＞
【００２４】
次に、本実施の形態にかかる除菌装置１００の首掛けの構成について説明する。図６や図１０に示すように、除菌装置１００には、首掛けフレーム１６０が着脱自在に取り付けられる。
【００２５】
以下では、説明のために、図６から図１３に示すように、除菌装置１００と首掛けフレーム１６０とが垂直に起立している状態における方向、すなわち前方・後方・左方・右方・上方・下方など、を用いて説明を行う。
【００２６】
首掛けフレーム１６０は、左右の両下端部に、内側に向けて突起１６２Ｘが形成される。より詳細には、首掛けフレーム１６０の本体の下端部には孔１６０Ｘ，１６０Ｘが形成される。孔１６０Ｘ，１６０Ｘの各々には、首掛けフレーム１６０や除菌装置１００の外側方向から、係止部材１６１，１６１が挿入される。係止部材１６１，１６１の先端には、首掛けフレーム１６０や除菌装置１００の内側方向から、突起部材１６２，１６２が嵌合される。係止部材１６１，１６１と突起部材１６２，１６２とによって首掛けフレーム１６０が強く挟み込まれることによって、首掛けフレーム１６０に対する係止部材１６１，１６１と突起部材１６２，１６２の姿勢が固定される。
【００２７】
そして、突起部材１６２，１６２には、首掛けフレーム１６０や除菌装置１００の内側に向けて、突起１６２Ｘ，１６２Ｘが形成される。突起１６２Ｘ，１６２Ｘの左右中央部は、前面１６２Ｙ，１６２Ｙと背面が削られている。つまり、突起１６２Ｘ，１６２Ｘの左右中央部は、上面と下面との距離が長く、前面１６２Ｙ，１６２Ｙと背面との距離が短く形成される。
【００２８】
一方、除菌装置１００のケース１１０に関しては、左右両側面１１１１，１１１１の上部に取り付け孔１１７，１１７が形成される。取り付け孔１１７，１１７の内側面には、前面と背面に、取り付け孔１１７，１１７の中止に向けて、弾性部材１１７Ｘ，１１７Ｘが張り出している。このように構成されているため、首掛けフレーム１６０は、水平に倒した状態においては、突起１６２Ｘ，１６２Ｘの中央部分によって弾性部材１１７Ｘ，１１７Ｘを外側に押しのけて、突起１６２Ｘ，１６２Ｘを取り付け孔１１７，１１７に挿入することができる。より詳細には、突起１６２Ｘ，１６２Ｘの中央部の上面や下面が弾性部材１１７Ｘ，１１７Ｘを前方や後方に押しのけることによって、突起１６２Ｘ，１６２Ｘを取り付け孔１１７，１１７に挿入することができる。そして、首掛けフレーム１６０を再度起き上がらせると、突起１６２Ｘ，１６２Ｘの中央部の前面１６２Ｙ，１６２Ｙと背面が弾性部材１１７Ｘ，１１７Ｘを押しのけなくなるため、突起１６２Ｘ，１６２Ｘの先端部分が弾性部材１１７Ｘ，１１７Ｘに引っ掛かるようになり、突起１６２Ｘ，１６２Ｘが取り付け孔１１７，１１７から外れなくなる。
【００２９】
なお、首掛けフレーム１６０を、再度、水平に倒すことによって、突起１６２Ｘ，１６２Ｘの中央部の上面と下面とが弾性部材１１７Ｘ，１１７Ｘを押しのけるようになり、これによって、突起１６２Ｘ，１６２Ｘを取り付け孔１１７，１１７から引き抜くことができるようになる。
【００３０】
つまり、本実施の形態においては、ユーザが除菌装置１００を首にかけている場合は、除菌装置１００は、取り付け孔１１７，１１７を軸に、吹き出し口１１２を上に向けた状態となるので、首掛けフレーム１６０から除菌装置１００が外れにくくなるように構成されている。
＜充電機構＞
【００３１】
図１４から図１８を参照して、本実施の形態にかかる除菌装置１００は、スタンド型の充電装置１８０に載置することによって充電される。充電装置１８０は、ＵＳＢケーブル１８９を介して、電源専用のコンセントやパーソナルコンピュータのＵＳＢコネクタなどから電力を取得する。
【００３２】
本実施の形態にかかる充電装置１８０は、高さが低い円柱状に形成されている。平面視において中央部分には、凹部１８１が形成される。当該凹部１８１に、除菌装置１００の下端部が挿入されることによって、除菌装置１００が起立した状態で保持される。本実施の形態においては、除菌装置１００は、凹部１８１の形状に従って、除菌装置１００の背面方向に傾いた状態で固定される。
【００３３】
凹部１８１の底面には、２つの充電端子１８２，１８２、つまり充電用のプラスの端子１８２と、充電用のマイナスの端子１８２が飛び出している。２つの充電端子１８２，１８２は、除菌装置１００が凹部１８１の形状に従って斜めに傾いた状態で固定された状態で、除菌装置１００の底面の充電端子１１５，１１５と接する位置に設けられる。充電装置１８０の充電端子１８２，１８２が、除菌装置１００の底面の充電端子１１５，１１５と接続されることによって、除菌装置１００の充電池１５０に充電が行われる。
【００３４】
そして、凹部１８１の充電端子１８２，１８２は、上方に付勢されつつ、上下方向にスライド可能に構成される。これによって、除菌装置１００の下端部が凹部１８１に差し込まれると、除菌装置１００の底面によって充電端子１８２，１８２が下方に押された状態となり、この状態において除菌装置１００が凹部１８１によって斜めに傾いた姿勢まで移動する。除菌装置１００が傾いた状態で安定すると、上方に付勢された充電端子１８２，１８２が除菌装置１００の充電端子１１５，１１５に自動的に接続される。
【００３５】
なお、本実施の形態においては、除菌装置１００のケース１１０の下端部分の形状は前後方向に略線対称に形成されており、左右方向にも略線対称に形成されている。より正確には、除菌装置１００のケース１１０の下端部分の形状は、前後左右の中心を通る上下方向の軸を中心に点対称に構成されている。そのため、図１９に示すように、除菌装置１００は、前後逆向きの状態でも、その下端部が充電装置１８０の凹部１８１にはまり込むように構成されている。
【００３６】
また、除菌装置１００のケース１１０の下端部の充電端子１１５，１１５の位置は前後方向に略線対称に形成されており、左右方向にも略線対称に形成されている。より正確には、除菌装置１００のケース１１０の下端部の充電端子１１５，１１５の位置は、前後左右の中心を通る上下方向の軸を中心に点対称に構成されている。そのため、図１９に示すように、除菌装置１００は、前後逆向きの状態で充電装置１８０に設置されても、充電装置１８０の充電端子１８２，１８２が除菌装置１００の充電端子１１５，１１５に接続されるように構成されている。
【００３７】
そして、図１９に示すように、除菌装置１００の充電用の配線はダイオードを利用したブリッジ回路を有する。これによって、除菌装置１００がどちら向きに充電装置１８０に嵌められても、すなわち、充電端子１８２，１８２のプラス側とマイナス側が除菌装置１００のどちら側の充電端子１１５，１１５に接続されても、充電ができるように構成されている。
［第２の実施の形態］
【００３８】
本実施の形態にかかる首掛けフレーム１６０は、樹脂などの弾性部材で構成されるが、紐やチェーンなどによって構成されてもよい。
［第３の実施の形態］
【００３９】
本実施の形態にかかる除菌装置１００は、１つの光触媒フィルター１２１と１つのＬＥＤライト１３０とを有するものであるが、複数の光触媒フィルターを搭載してもよいし、複数のＬＥＤライトを搭載してもよい。
［第４の実施の形態］
【００４０】
また、光触媒を活性させるためのライトは、ＬＥＤライト１３０には限られない。他の種類のものを利用してもよい。
［第５の実施の形態］
【００４１】
また、吸い込まれた空気を除菌したり脱臭したりするためのフィルターは、光触媒フィルター１２１には限られない。光触媒フィルター１２１の代わりに、あるいは光触媒フィルターに加えて、除菌装置１００は別の種類の空気清浄フィルターを搭載してもよい。なお、当該フィルターの位置は、吸い込み口１１１よりも上方で、吹き出しファン１４０よりも下方であることが好ましい。すなわち、当該フィルターは、吸い込み口１１１の下流であって、吹き出しファン１４０よりも上流に配置されることが好ましい。
［まとめ］
【００４２】
上記の実施の形態においては、上面に吹き出し口が形成され、側面に吸い込み口が形成される筒状のケースと、ケース内の吹き出し口の下方に配置されて、吹き出し口に風を送るためのファンと、ケース内のファンの下方に配置されるフィルターと、を備える、除菌装置が提供される。
【００４３】
好ましくは、フィルターは、ファンの風向き方向の複数の開口が形成される光触媒フィルターである。除菌装置は、ファンの下方に配置され、光触媒フィルターに光を照射するためのライトをさらに備える。
【００４４】
好ましくは、除菌装置は、ファンの周囲に配置され、ケースに対してファンを支持しつつ、ファンとケースとの間を閉じるための弾性部材をさらに備える。
【００４５】
好ましくは、ケースの、フィルターの側方部分には、開口部が形成される。除菌装置は、開口部を閉じるための、着脱自在なカバーをさらに備える。カバーを取り外した状態で、フィルターを開口部を通ってケースの外側にスライドさせることによってケースから取り出すことができる。
【００４６】
好ましくは、除菌装置は、ケースの背面に取り付けられ、除菌装置を保持するためのクリップをさらに備える。クリップは、カバーに着脱自在に取り付けられる。
【００４７】
好ましくは、除菌装置は、フィルターの側方を保持するホルダをさらに備える。フィルターは、ホルダごと、開口部を通ってケースの外側にスライドさせることによってケースから取り出すことができる。
【００４８】
好ましくは、除菌装置は、充電池をさらに備える。ケースの下端に２つの充電端子が設けられる。充電端子と充電池の間にダイオードを利用したブリッジ回路を設けることによって、２つの充電端子のどちらに充電装置のプラス端子とマイナス端子が接続されても充電可能である。
【００４９】
好ましくは、上記の除菌装置と、除菌装置の下部が差し込まれて、除菌装置を斜め方向に起立した状態で保持するための凹部と、凹部の底面に設けられるプラス端子とマイナス端子と、を含む充電装置と、を備える除菌システムが提供される。
【００５０】
好ましくは、上記の除菌装置と、除菌装置の上部に着脱自在な首掛けフレームと、を備える除菌システムが提供される。
【００５１】
好ましくは、ケースの両側面の各々には、上部に、首掛けフレームの下端部が連結される孔が形成される。孔の側面には、孔の内側に向けて付勢される部材が設けられる。首掛けフレームの下端部には、孔に挿入される突起が形成される。突起の側面には、部材に対向する位置に凹部が形成される。
【００５２】
今回開示された実施の形態はすべての点で例示であって制限的なものではないと考えられるべきである。本発明の範囲は、上記した説明ではなく、特許請求の範囲によって示され、特許請求の範囲と均等の意味および範囲内でのすべての変更が含まれることが意図される。
【符号の説明】
【００５３】
１０      ：除菌システム
１００    ：除菌装置
１１０    ：ケース
１１０Ｘ  ：ネジ穴
１１０Ｙ  ：開口部
１１１    ：吸い込み口
１１２    ：吹き出し口
１１３    ：カバー
１１３Ｘ  ：ネジ孔
１１４    ：クリップ
１１４Ｘ  ：部分
１１５    ：充電端子
１１６    ：ＵＳＢ端子
１１７    ：取り付け孔
１１７Ｘ  ：弾性部材
１１８    ：スイッチ
１１９    ：ネジ
１２０    ：光触媒ユニット
１２１    ：光触媒フィルター
１２２    ：ホルダ
１３０    ：ＬＥＤライト
１４０    ：吹き出しファン
１４１    ：弾性部材
１５０    ：充電池
１５１    ：制御基板
１５２    ：ブリッジ回路
１６０    ：首掛けフレーム
１６０Ｘ  ：孔
１６１    ：係止部材
１６２    ：突起部材
１６２Ｘ  ：突起
１６２Ｙ  ：前面および背面
１８０    ：充電装置
１８１    ：凹部
１８２    ：充電端子
１８９    ：ＵＳＢケーブル
１１１１  ：左右両側面
【要約】
【課題】筒状のケースの先端から除菌済みの空気を吹き出すことができる除菌装置を提供する。
【解決手段】上面に吹き出し口１１２が形成され、側面に吸い込み口１１１が形成される筒状のケース１１０と、ケース１１０内の吹き出し口１１２の下方に配置されて、吹き出し口１１２に風を送るためのファン１４０と、ケース１１０内のファン１４０の下方に配置されるフィルター１２１と、を備える、除菌装置１００が提供される。
【選択図】図４【図１】
0006979724.tif 000002
【図２】
0006979724.tif 000003
【図３】
0006979724.tif 000004
【図４】
0006979724.tif 000005
【図５】
0006979724.tif 000006
【図６】
0006979724.tif 000007
【図７】
0006979724.tif 000008
【図８】
0006979724.tif 000009
【図９】
0006979724.tif 000010
【図１０】
0006979724.tif 000011
【図１１】
0006979724.tif 000012
【図１２】
0006979724.tif 000013
【図１３】
0006979724.tif 000014
【図１４】
0006979724.tif 000015
【図１５】
0006979724.tif 000016
【図１６】
0006979724.tif 000017
【図１７】
0006979724.tif 000018
【図１８】
0006979724.tif 000019
【図１９】
0006979724.tif 000020
【図２０】
0006979724.tif 000021